(57)【要約】【課題】レンズ装置の小型化をし、特に光軸方向にはレンズを固定部に直接固定する場合と同じ大きさを再現でき、偏芯調整後の紫外線硬化型接着剤の未硬化を防ぐことを可能にしたレンズ装置を提供すること。【解決手段】光学レンズと前記光学レンズが保持されたレンズ鏡筒とで構成されたレンズ装置において、光学レンズの外周には複数のレンズ密接部材が配置されており前記レンズ密接部材には、前記光学レンズの外径と密接する第一密接部と、前記レンズ鏡筒に光軸方向で密接されている第二密接部が設けられており、前記レンズ鏡筒と前記レンズ密接部材と、光学レンズとは、第一密接部と第二密接部が重なる角度範囲内で光硬化型接着剤にて固定されていることを特徴とする。【選択図】図１
2018005141.tif 000002
【特許請求の範囲】
【請求項１】
光学レンズと、
前記光学レンズが保持されたレンズ鏡筒と、を備えるレンズ装置であって、
前記光学レンズの外周には複数のレンズ密接部材が配置されており、
前記レンズ密接部材には、前記光学レンズの外径と密接する第一密接部と、前記レンズ鏡筒に光軸方向で密接されている第二密接部が設けられており、
前記レンズ鏡筒と、前記レンズ密接部材と、前記光学レンズとは、第一密接部と第二密接部が重なる角度範囲内で光硬化型接着剤にて固定されていることを特徴とするレンズ装置。
【請求項２】
前記光硬化型接着剤は紫外線照射により硬化することを特徴とする請求項１に記載のレンズ装置。
【請求項３】
前記光学レンズと前記レンズ密接部材は一体的に光軸に直交方向に調整されることを特徴とする請求項１又は請求項２に記載のレンズ装置。
【発明の詳細な説明】
【技術分野】
【０００１】
本発明は、レンズ装置の偏芯調整に関し、特に偏芯調整後、レンズを紫外線硬化型接着剤にて固定するレンズ装置の、小型化、信頼性向上に関する。
【背景技術】
【０００２】
近年、レンズ装置は高精度な位置精度が求められており、部品加工時の部品精度ズレを吸収するためにレンズ位置を調整する手法が取られている。その中の調整手段のひとつとしてレンズの偏芯ズレを調整するものがある。
【０００３】
その調整方法の一例として図８のような構成が知られている。図８は熱カシメでレンズ１０を保持したレンズ鏡筒１１の偏芯調整を固定部品１２に対し実施した後、レンズ鏡筒１１の外側に設けられたフランジ部１１０２の切り欠き１１０１に接着剤１３を流し込むことで固定している構成である。
【０００４】
切り欠き１１０１は壁１１０３で囲まれており接着剤１３が意図しない箇所へ流れ込むのを防いでいる。突起部１２０１は固定部品１２からのびており、接着剤１３の接着表面積を増やすための突起である。
【０００５】
また、図８のような熱カシメをするための鏡筒を使わず、固定部品に対しレンズ自体を直接、偏芯調整する図７のような方法も知られている。
【０００６】
固定部品８にレンズ７が光軸方向で突き当てられており、レンズ７には面取り７０１が設けられている。そして接着剤９をレンズ７と固定部品８の間に流しこむことでレンズ７の接着を行っている。特許文献１には、その際、接着剤は接着の乾燥時間を短縮するために紫外線硬化型接着剤を使用するのが一般的であることが記述されている。
【先行技術文献】
【特許文献】
【０００７】
【特許文献１】特開２００３−１５００８号公報
【発明の概要】
【発明が解決しようとする課題】
【０００８】
しかしながら、図８のような構成の従来技術では、レンズ鏡筒１１の外周側に切り欠きが設けられたフランジ部１１０２を設けているため径方向に大きくなってしまう。また、図７のような構成の従来技術では、紫外線を照射しても、接着剤９がレンズ７の面取り７０１に回り込んだ場合未硬化として残ってしまう場合がある。これは通常、レンズの面取り部は荒削り面となっており、研磨がされていないため光を通しにくくなっていることによる。
【０００９】
このように、面取り７０１に入り込んだ接着剤９に紫外線が照射しきれないことがあり、未硬化の接着剤９が揮発することでレンズ７を曇らせてしまう等の懸念があった。よって、レンズ曇りの防止のためにも接着剤をきちんと硬化させる構成とすることが必要である。
【００１０】
そこで、本発明の目的は、レンズ装置の小型化をし、特に光軸方向にはレンズを固定部に直接固定する場合と同じ大きさを再現でき、偏芯調整後の紫外線硬化型接着剤の未硬化を防ぐことを可能にしたレンズ装置を提供することにある。
【課題を解決するための手段】
【００１１】
上記の目的を達成するために、本発明に係るレンズ装置は、
光学レンズと、前記光学レンズが保持されたレンズ鏡筒と、を備えるレンズ装置であって、前記光学レンズの外周には複数のレンズ密接部材が配置されており、前記レンズ密接部材には、前記光学レンズの外径と密接する第一密接部と、前記レンズ鏡筒に光軸方向で密接されている第二密接部が設けられており、前記レンズ鏡筒と、前記レンズ密接部材と、前記光学レンズとは、第一密接部と第二密接部が重なる角度範囲内で光硬化型接着剤にて固定されていることを特徴とする。
【発明の効果】
【００１２】
本発明によれば、レンズ装置の小型化をし、特に光軸方向にはレンズを固定部に直接固定する場合と同じ大きさを再現でき、偏芯調整後の紫外線硬化型接着剤の未硬化を防ぐことを可能にしたレンズ装置を提供するができる。
【図面の簡単な説明】
【００１３】
【図１】本発明の実施形態の断面図
【図２】本発明の実施形態の断面拡大図
【図３】本発明の実施形態の正面図
【図４】本発明の実施形態の正面拡大図
【図５】本発明の実施形態の調整時の説明図１
【図６】本発明の実施形態の調整時の説明図２
【図７】従来例１の説明図
【図８】従来例２の説明図
【発明を実施するための形態】
【００１４】
以下、図１〜６を参照して本発明の実施例によるレンズ装置の小型化をし、特に光軸方向にはレンズを固定部に直接固定する場合と同じ大きさを再現でき、偏芯調整後の紫外線硬化型接着剤の未硬化を防ぐことを可能にしたレンズ装置について説明する。
【００１５】
図１は本発明を実施した鏡筒断面図を表している。
【００１６】
レンズ３は鏡筒１に設けられた胴付部１０１に接している。また、レンズ密接部材２の内径がレンズ３と密接するような配置を取っている。レンズ密接部材２の外形にはクリアランス６が設けられておりレンズ３とレンズ密接部材２を一体的に偏芯させることができるようになっている。レンズ密着部材２の外周クリアランス６は鏡筒１に対して少なくとも偏芯調整に必要な量以上を設けている。さらにレンズ密接部材２はレンズ３と同様に胴付１０１と接する構成となっている。
【００１７】
図２はレンズ密接部材２の断面拡大図となっている。
【００１８】
接着剤４はレンズ３の外径部と、レンズ密接部材２、鏡筒１を一体的に接着している。レンズを偏芯調整した後、上述のように接着することでレンズ３はレンズ密接部材２と共に鏡筒１に接着固定される。よって偏芯調整の位置を保持させることができる。その際、レンズ密接部材２が胴付１０１と接しているため、レンズ３の面取り部３０１に接着剤４が流れ込まないようになっている。
【００１９】
図３は本発明の実施形態の正面図を表している。
【００２０】
鏡筒１にレンズ３が配置されており、レンズ３の外径部分にレンズ密接部材２が３つ配置されている。レンズ密接部材２の外周は鏡筒１に対して少なくとも偏芯調整に必要な量以上のクリアランス６が設けられている。それにより、偏芯調整の必要量に応じレンズ密接部材２とレンズ３を同時に偏芯させることで偏芯調整ができるようになっている。
【００２１】
図４はレンズ密接部材２配置部分の拡大図となっている。
【００２２】
レンズ３を偏芯調整した後は周りより凹んでいる接着部２０１a、２０１bである斜線部箇所に接着剤４を塗布し偏芯調整した位置を保持させるようになっている。その際の接着剤４は接着剤の固着時間が短い紫外線硬化型接着剤が適している。角度範囲２０３はレンズ密接部材２がレンズ３と密接しており、なお且つ鏡筒１の胴付１０１とも接している範囲を示している。接着剤４の塗布は角度範囲２０３の範囲内でなされている。なお、A-A部は図１の断面箇所となっている。
【００２３】
図５は前述の偏芯調整を行う際の様子を表している。
【００２４】
偏芯調整時には調整工具５を鏡筒１の治具穴１０２を通し、レンズ密接部材２の押さえ部２０３をレンズ３中心方向に押さえつけている。レンズ３中心方向へ押さえることでレンズ３外形とレンズ密接部材２は常に密接するようになっている。押さえ部２０３はレンズ３を偏芯調整する際に調整工具５を受ける部位である。
【００２５】
図６は光軸方向からレンズ３とレンズ密接部材２を鏡筒の胴付１０１へと押さえこむための工具の様子を表している。
【００２６】
押え込み工具６には押さえ突起６０１が設けられており、レンズ３とレンズ密接部材２を押さえることができるようになっている。本発明の構成で偏芯調整を実施する際には、押え込み工具６でレンズ３とレンズ密接部材２を鏡筒１へと光軸方向に押え込んだ状態で、３つの調整工具５でレンズ密接部材２を介してレンズ３を押込みレンズ３の位置を調整する。その後、接着剤４を塗布し紫外線照射にて接着剤４を固着させたのち調整工具５と押え込み工具６を外す。
【００２７】
なお、図４に示すようにレンズ密接部材２には壁２０２が設けられており接着剤４が調整工具５に付着することを防ぐようになっている。
【００２８】
本発明の構成を取ればレンズ装置の小型化をし、特に光軸方向にはレンズを固定部に直接固定する場合と同じ大きさを再現でき、偏芯調整後の紫外線硬化型接着剤の未硬化を防ぐことを可能にしたレンズ装置を提供することができる。
【００２９】
以上、本発明の好ましい実施形態について説明したが、本発明はこれらの実施形態に限定されず、その要旨の範囲内で種々の変形及び変更が可能である。
【符号の説明】
【００３０】
１  本実施例の鏡筒、２  レンズ密接部材、３  レンズ、４  接着剤、５  調整工具、
６  押え込み工具
【図１】
2018005141.tif 000003
【図２】
2018005141.tif 000004
【図３】
2018005141.tif 000005
【図４】
2018005141.tif 000006
【図５】
2018005141.tif 000007
【図６】
2018005141.tif 000008
【図７】
2018005141.tif 000009
【図８】
2018005141.tif 000010